(57)【特許請求の範囲】
【請求項１】
前後方向に延びた水平枠の前後両端から前後の枠が垂設された略門形をなす支持枠が所定間隔を開けて複数並設され、各支持枠における前枠と後枠の各下端が、方形状をなす本体枠の前縁と後縁とにそれぞれ固定されてなるラックが具備され、
このラックが、断熱扉を前面開口に開閉可能に装着した断熱性の凍結庫本体の庫内に複数段に亘って装着され、
二つ折りされたシート状の蓄冷剤が、前記ラックの前記支持枠における前記水平枠の前端部に掛けられて前記水平枠に沿って押し込まれることで、前記水平枠に吊り下げられて支持されるとともに、庫内の天井部に装備された冷気供給装置により冷気が庫内の奥面または前記断熱扉の裏面に沿うように吹き出されて前方または後方に吹き抜けたのち前記断熱扉の裏面または前記庫内の奥面に沿って立ち上るように循環供給されることにより、前記蓄冷剤が凍結されるようにした凍結庫において、
前記ラックは、前記本体枠の後縁が前記庫内の奥面に配された棚受金に、また前記本体枠の前縁が庫内の側面に配された棚受金にそれぞれ掛止されることによって、同ラックの支持枠の前枠と前記断熱扉の裏面との間、及び前記支持枠の後枠と前記庫内の奥面との間に、それぞれ所定のスペースを開けた形態で位置決めされて装着され、
前記支持枠における前記前枠が、二つ折りされたシート状の蓄冷剤を同支持枠の前記水平枠に吊り下げて支持する場合における同蓄冷剤の前端の位置を指示する目印とされていることを特徴とする蓄冷剤凍結庫。
【請求項２】
前記ラックの前記支持枠における前記前枠は、前記水平枠の前端から垂下されたのち奥側に屈曲された形状に形成されていることを特徴とする請求項１記載の蓄冷剤凍結庫。
【請求項３】
前記ラックの前記各支持枠のそれぞれの後枠に亘るようにして、前記支持枠に吊り下げられた蓄冷剤の後端を当ててそれ以上の奥側への移動を規制する規制枠が装着され、
前記ラックの前記本体枠の後縁における前記庫内の奥面に配された前記棚受金と対応する位置には、同棚受金に掛止される被掛止部が前記規制枠よりも奥側に突出するように所定寸法後方に突出して形成されていることを特徴とする請求項１または請求項２記載の蓄冷剤凍結庫。
【発明の詳細な説明】
【技術分野】
【０００１】
本発明は、シート状の蓄冷剤を庫内で吊り下げ支持して凍結させることに使用する蓄冷剤凍結庫に関する。
【背景技術】
【０００２】
蓄冷剤の一形態として、短冊状の蓄冷部材を複数連ねて方形のシート状としたものが知られており、このような蓄冷剤を凍結することに使用する蓄冷剤凍結庫として、下記特許文献１に記載されたものが知られている。  
このものは、シート状の蓄冷剤を二つ折りして吊り下げて支持する側面方形状をなす複数の支持枠を所定間隔を開けて並設したラックを備え、このラックが前面に扉を備えた凍結庫内において複数段に亘って装着された構造であって、ラックの各支持枠に、二つ折りされたシート状の蓄冷剤が吊り下げられて支持され、庫内に冷気を供給することで蓄冷剤を凍結するようになっている。  
ここで、庫内に冷気を供給するに際しては、例えば庫内の天井部に冷気供給装置を備え、冷気を庫内の奥面に沿うように吹き出したのち各段の蓄冷剤を通って前方に吹き抜き、そののち扉の裏面に沿って立ち上るように循環供給すると、各蓄冷剤の間に冷気が良く通ることで効率良く凍結することができると考えられる。このような事情は、冷気の循環流通方向を前後逆向きとしても同様である。
【先行技術文献】
【特許文献】
【０００３】
【特許文献１】特開２０１１−７３８９号公報
【発明の概要】
【発明が解決しようとする課題】
【０００４】
ところで、上記のように二つ折りした蓄冷剤を支持枠に掛ける場合、手前側から挿入する関係上、どうしても吊り下げ位置を手前側に留め勝ちになるが、手前側に過ぎると、冷気の循環方向が奥側から手前側の場合は熱交換後の冷気の戻り通路が塞がれることになり、逆に手前側から奥側の場合は冷気の吹き出し通路が塞がれることになり、いずれにしても冷気が円滑に循環流通することが妨げられるために、蓄冷剤の凍結速度が遅くなったり、凍結具合が不均一となるおそれがあった。  
本発明は上記のような事情に基づいて完成されたものであって、その目的は、庫内に収容した全蓄冷剤を均一にかつ高速度で凍結するところにある。
【課題を解決するための手段】
【０００５】
本発明は、前後方向に延びた水平枠の前後両端から前後の枠が垂設された略門形をなす支持枠が所定間隔を開けて複数並設され、各支持枠における前枠と後枠の各下端が、方形状をなす本体枠の前縁と後縁とにそれぞれ固定されてなるラックが具備され、このラックが、断熱扉を前面開口に開閉可能に装着した断熱性の凍結庫本体の庫内に複数段に亘って装着され、前記ラックの前記支持枠の前記水平枠に、二つ折りされたシート状の蓄冷剤が吊り下げられて支持されるとともに、庫内の天井部に装備された冷気供給装置により冷気が庫内の奥面または前記断熱扉の裏面に沿うように吹き出されて前方または後方に吹き抜けたのち前記断熱扉の裏面または前記庫内の奥面に沿って立ち上るように循環供給されることにより、前記蓄冷剤が凍結されるようにした凍結庫において、前記ラックは、前記本体枠の後縁が前記庫内の奥面に配された棚受金に、また前記本体枠の前縁が庫内の側面に配された棚受金にそれぞれ掛止されることによって、同ラックの支持枠の前枠と前記断熱扉の裏面との間、及び前記支持枠の後枠と前記庫内の奥面との間に、それぞれ所定のスペースを開けた形態で位置決めされて装着され、前記支持枠における前記前枠が、二つ折りされたシート状の蓄冷剤を同支持枠の前記水平枠に吊り下げて支持する場合における同蓄冷剤の前端の位置を指示する目印とされている構成としたところに特徴を有する。
【０００６】
上記構成によれば、二つ折りされたシート状の蓄冷剤をラックにおける対応する支持枠の水平枠に吊り下げるに当たって、同蓄冷剤の前端の位置を支持枠の前枠に揃えると、支持された一群の蓄冷剤の前面と、断熱扉との間に冷気流通用の空間が確保されて、冷気が庫内全域に亘ってスムーズに循環供給され、全蓄冷剤を均一にかつ高速度で凍結させることができる。
【０００７】
また、以下のような構成としてもよい。  
（１）前記ラックの前記支持枠における前記前枠は、前記水平枠の前端から垂下されたのち奥側に屈曲された形状に形成されている。  
二つ折りされて支持された蓄冷剤の前端下部の間に、支持枠の前枠における奥側に屈曲された部分が入り込んで、両側に振り分けられた部分の間に隙間が確保され、同隙間に冷気が通りやすくなることで、蓄冷剤の冷却効果がさらに高められる。
【０００８】
（２）前記ラックの前記各支持枠のそれぞれの後枠に亘るようにして、前記支持枠に吊り下げられた蓄冷剤の後端を当ててそれ以上の奥側への移動を規制する規制枠が装着されている。  
蓄冷剤の奥側への押し込みが規制枠で規制されることにより、庫内に収容された蓄冷剤群と庫内の奥面との間に冷気流通用の空間が確保され、冷気を庫内全域に亘ってよりスムーズに循環供給することができる。また、規制枠が補強材となって、ラックの形状保持機能を高めることに寄与し得る。
【０００９】
（３）前記ラックの前記本体枠の後縁における前記庫内の奥面に配された前記棚受金と対応する位置には、同棚受金に掛止される被掛止部が所定寸法後方に突出して形成されている。  
本体枠の後縁すなわち規制枠の位置をより手前に設定でき、そのため蓄冷剤群の奥側に、さらに広い冷気流通用の空間を確保することができ、冷気のスムーズな循環流通にさらに寄与できる。
【発明の効果】
【００１０】
本発明によれば、庫内に収容した全蓄冷剤を均一にかつ高速度で凍結することが可能になる。
【図面の簡単な説明】
【００１１】
【図１】本発明の一実施形態に係る凍結庫の側断面図
【図２】開扉状態の凍結庫の正面図
【図３】ハンガーラックの斜視図
【図４】同正面図
【図５】同平面図
【図６】同側面図
【図７】同右奥隅部の拡大平面図
【図８】スタンドラックの斜視図
【図９】同正面図
【図１０】同平面図
【図１１】同側面図
【図１２】本体枠の右奥隅部の拡大平面図
【図１３】図１０のＸ矢視拡大図
【図１４】図１０のＹ矢視拡大図
【図１５】ハンガーラックの装着構造を示す平面図
【図１６】スタンドラックの装着構造を示す平面図
【図１７】マット状蓄冷剤の支持動作を示す側面図
【図１８】ハンガーラックを棚受金に掛止した状態を示す断面図
【発明を実施するための形態】
【００１２】
＜実施形態＞
本発明の一実施形態を図１ないし図１７によって説明する。  
本実施形態に係る蓄冷剤凍結庫１０は、図１及び図２に示すように、前面開口の縦長の断熱箱体からなる凍結庫本体１１を有し、内部が凍結室１２とされて、底面の四隅に設けられた脚１３で支持されている。凍結室１２の前面開口部１４には、断熱扉１５が一方の縦縁（例えば右側縁）を中心とした揺動開閉可能に装着されている。  
凍結庫本体１１の上面には機械室１６が設けられ、同機械室１６内には、圧縮機１８、空冷式の凝縮器１９等からなる冷凍装置１７等が装備されている。
【００１３】
凍結室１２の天井部の奥側寄りの位置には、ドレンパンを兼ねたダクトパネル２０が張られることで冷却器室２１が区画形成されており、その底面の手前側の位置には吸込口２２が、奥側には吹出口２３がそれぞれ形成されている。冷却器室２１内には冷却器２５が収容され、上記の機械室１６内に装備された冷凍装置１７と冷媒配管で接続されて冷凍サイクルが構成されているとともに、吸込口２２に臨んで庫内ファン２６が装着されている。  
そして、冷凍装置１７を運転しつつ庫内ファン２６を駆動すると、詳しくは後記するように、凍結室１２の庫内空気が吸込口２２から冷却器室２１内に吸引され、その空気が冷却器２５を流通する間に熱交換によって冷気が生成され、その冷気が吹出口２３から凍結室１２の奥壁１２Ａに沿うようにして吹き出され、凍結室１２内に冷気が循環供給されるようになっている。
【００１４】
凍結室１２内には、蓄冷剤がラックに対して整列して支持されて収納されるようになっている。  
この実施形態では基本的には、２種類のシート状の蓄冷剤Ａ，Ｂが適用されるようになっている。第１の蓄冷剤Ａは、樹脂シート内にゲル化剤が充填された短冊状をなす蓄冷部材ａが４枚連ねられた形状であって、二つ折り可能とされている。以下、第１の蓄冷剤Ａをマット状蓄冷剤Ａという。  
第２の蓄冷剤Ｂは、同じく樹脂シート内にゲル化剤が充填されて単体の短冊状に形成されている。以下、第２の蓄冷剤Ｂを短冊状蓄冷剤Ｂという。この実施形態の短冊状蓄冷剤Ｂは、上記マット状蓄冷剤Ａを構成する蓄冷部材ａと比べて、長さと厚さが同じである反面、幅が半分強に留まっている。
【００１５】
マット状蓄冷剤Ａは、第１のラック４０に対して吊り下げられて支持されるようになっている。以下、第１のラック４０をハンガーラック４０という。  
一方、短冊状蓄冷剤Ｂは、第２のラック５０に対して立て掛けられて支持されるようになっている。以下、第２のラック５０をスタンドラック５０という。  
これらのラック４０，５０を凍結室１２内に装着する手段として、凍結室１２の奥壁１２Ａの左右両端部と、左右の側壁１２Ｂにおける前面開口部１４から所定寸法入った位置に、合計４本の棚柱３０が立てられており、各棚柱３０における同じ高さ位置に棚受金３２が装着されて、それらのラック４０，５０が支持されるようになっている。
【００１６】
詳細には、棚受金３２は、図１５及び図１８に示すように、水平な載置板３３の先端から支え板３４が斜め下方に折り返された形状であり、かつ載置板３３には掛止片３５が垂直に切り起こし形成されている。棚受金３２は、載置板３３と支え板３４に設けられた取付爪３３Ａ，３４Ａを、棚柱３０に列設された取付孔３１の上下２個に亘って嵌めることで装着されるようになっている。  
この実施形態では、凍結室１２内における上側の略３／４の領域に、ハンガーラック４０が３段に亘って装着され、残りの下側の領域に、スタンドラック５０が２段に亘って装着されている。なお下側のスタンドラック５０は、凍結室１２の底面上に直に載せられている。
【００１７】
次に、ラックの形状について詳細に説明する。  
ハンガーラック４０は、図３ないし図７に示すように、共に鋼線等の金属線材を素材として形成された本体枠４１と、マット状蓄冷剤Ａを二つ折りして吊り下げて支持する複数個（図示８個）の支持枠４５とから構成されている。  
本体枠４１は、前縁と左右の側縁とからなる平面門形をなす三方枠４２と、後縁枠４４とから構成され、三方枠４２の左右の側縁の奥端部では、内向きの鈎形に屈曲された被掛止部４３が形成されている。後縁枠４４は、上記した三方枠４２における左右の被掛止部４３の折り返し部４３Ａの間に亘る長さを有し、両端には、折り返し部４３Ａより所定寸法短い屈曲部４４Ａが直角曲げされている。三方枠４２の両被掛止部４３の間には、折り返し部４３Ａと屈曲部４４Ａの先端同士を揃えた形態で後縁枠４４が差し渡され、溶接により結合されることで本体枠４１が形成されている。  
本体枠４１は、凍結室１２の間口にほぼ匹敵する横幅と、同凍結室１２の奥行よりも所定寸法小さい奥行寸法を有する平面方形状に形成され、かつ、左右両側縁の奥端に形成された被掛止部４３が、後縁枠４４よりも所定寸法後方に突出した形状となっている。
【００１８】
支持枠４５は、前後方向に延びた水平枠４６の前後両端に、前枠４７と後枠４８とを下向きに形成した形状であって、後枠４８が直角に下向きに曲げられているのに対して、前枠４７は、直角に下向きに曲げられたのち（垂下部４７Ａ）、中央高さより少し下方位置から奥側に向けて斜め（４５°）に屈曲された（傾斜部４７Ｂ）形状となっている。  
上記した支持枠４５は、隣り合う２個の前枠４７の下端同士と、後枠４８の下端同士がそれぞれ連結枠４５Ａで連結されることにより、所定間隔を開けて一体的に形成されている。
【００１９】
上記した支持枠４５の対が４組、各組間に上記した両支持枠４５の間隔に等しい間隔を取って左右方向に並べられ、本体枠４１における左右の側縁よりも少し内側に入った領域において同本体枠４１上に載せられる。詳細には、各支持枠４５の対における前側の連結枠４５Ａが三方枠４２の前縁上に載せられ、また後側の連結枠４５Ａが後縁枠４４上に載せられ、それぞれ溶接によって固定されている。  
以上により、本体枠４１の上面における左右の側縁の少し内側の領域において、図示８個の支持枠４５が一定間隔を開けて左右方向に並んで設けられ、かつ、各支持枠４５における手前側の一部、すなわち手前側の端縁から前枠４７の傾斜部４７Ｂの下端までの奥行領域が、本体枠４１の前縁の手前側に突出した形状となる。
【００２０】
ここで、支持枠４５における水平枠４６の前後方向の長さ寸法は、マット状蓄冷剤Ａの縦幅の２倍弱であり、水平枠４６までの高さ寸法は、マット状蓄冷剤Ａの長さの半分強である。  
また、各支持枠４５における後枠４８の内側の面には、同じく金属線材からなる規制枠４９が、ほぼ中央高さ位置において全幅に亘って当てられ、溶接により固定されている。
【００２１】
次に、スタンドラック５０について図８ないし図１４によって説明する。  
スタンドラック５０は大まかには、それぞれ鋼線等の金属線材を素材として形成された本体枠５１と、複数の支持枠５５（図示１５個）と、受け枠６２とから構成されている。
本体枠５１は、前縁と左右の側縁とからなる平面門形をなす三方枠５２と、後縁枠５４とから構成されている。三方枠５２の左右の側縁の奥端部では、内向きの鈎形に屈曲された被掛止部５３が形成され、かつ同被掛止部５３の折り返し部５３Ａの先端部が、互いに対向する方向に直角曲げされている（屈曲部５３Ｂ）。後縁枠５４は、本体枠５１の左右の側縁の間に亘る長さを有している。後縁枠５４は、左右の被掛止部５３における屈曲部５３Ｂの内側に当てられた形態で、本体枠５１における左右の側縁の奥端部の間に差し渡され、溶接により結合されることで本体枠５１が形成されている。  
本体枠５１は、凍結室１２の間口にほぼ匹敵する横幅と、同凍結室１２の奥行よりも所定寸法小さい奥行寸法を有する平面方形状に形成され、かつ、左右両側縁の奥端に形成された被掛止部５３が、後縁枠５４よりも所定寸法後方に突出した形状となっている。
【００２２】
支持枠５５は、前後方向に延びた水平枠５６の前端に前枠５７が一体形成された形状であり、水平枠５６の長さ方向の中央部における所定長さ領域には、所定深さを有する方形状の凹陥部５８が形成されている。前枠５７は、水平枠５６の前縁から凹陥部５８の深さ寸法だけ垂下したのち、その下端部が奥側に直角曲げされた（屈曲部５７Ａ）形状となっている。  
上記の支持枠５５は、一定間隔を開けて左右方向に並んで配されるが、各支持枠５５の水平枠５６の後端を連結する連結枠５９が設けられている。連結枠５９は、本体枠５１の左右の側縁の間に亘る長さを有する一方、両端にはＬ字形をなす脚枠６０が互いに向き合う姿勢で形成されている。
【００２３】
上記のように１５個の支持枠５５が所定間隔を開けて並んで配され、各水平枠５６の後端の下面側に連結枠５９が当てられて溶接により固定されることで、１５個の支持枠５５が仮組みされる。このような仮組みされた支持枠５５が本体枠５１上に載せられ、各支持枠５５における前枠５７の屈曲部５７Ａの先端が、本体枠５１の前縁の上面に当てられて溶接により固定される。このとき、連結枠５９の両端の脚枠６０が、本体枠５１の左右の奥端部に形成された被掛止部５３の突出端の少し手前側に対応するため、同脚枠６０の下辺が被掛止部５３に載せられて溶接で固定される。
【００２４】
また、本体枠５１の左右の側縁の間に亘るようにして、４本の受け枠６２が設けられる。前側の２本の受け枠６２は、本体枠５１の前縁から少し奥に入った位置と、凹陥部５８の前縁寄りの位置とにそれぞれ配されて溶接で固定される。後側の２本の受け枠６２は、凹陥部５８の後縁寄りの位置と、同位置と後縁枠５４との中間位置とにそれぞれ配されて、同じく溶接で固定される。
【００２５】
以上により、本体枠５１の上面における左右の側縁の少し内側の領域において、図示１５個の支持枠５５が一定間隔を開けて左右方向に並んで設けられ、かつ、各支持枠５５における手前側の一部、すなわち手前側の端縁から前枠５７の屈曲部５７Ａの先端までの奥行領域が、本体枠５１の前縁の手前側に突出し、また、本体枠５１の左右の奥端部に形成された被掛止部５３の突出端側の所定領域が連結枠５９並びにその脚枠６０の位置から奥側に突出した形態となる。また、手前側と奥側に分かれた各領域において、それぞれ２本ずつの受け枠６２が設けられる。  
ここで、支持枠５５における水平枠５６の前後方向の長さ寸法は、短冊状蓄冷剤Ｂの長さの２倍弱であり、水平枠５６までの高さ寸法は、短冊状蓄冷剤Ｂの幅よりも少し小さい寸法である。また、前側の２本の受け枠６２の間隔は、短冊状蓄冷剤Ｂの長さの６割程度であり、後側の２本の受け枠６２の間隔は、前側の間隔の２／３程度である。
【００２６】
短冊状蓄冷剤Ｂは、奥側の領域では、後側の２本の受け枠６２並びに後縁枠５４で受けられつつ、隣り合う支持枠５５における凹陥部５８よりも奥側の部分の間に立て掛けられた形態で支持され、一方手前側の領域では、前側の２本の受け枠６２並びに本体枠５１の前縁で受けられつつ、隣り合う支持枠５５における凹陥部５８よりも手前側の部分の間に立て掛けられた形態で支持されるようになっている。すなわち、本実施形態のスタンドラック５０では、手前側と奥側の二領域において、短冊状蓄冷剤Ｂを立て掛けた形態で支持し得る支持領域が構成されている。
【００２７】
続いて、本実施形態の作用を説明する。  
凍結室１２内には、上部側にハンガーラック４０が３段に亘り、その下方にスタンドラック５０が２段に亘って装着される。  
ハンガーラック４０は、図１５に示すように、奥縁の左右両端部に設けられた被掛止部４３が、奥壁１２Ａの左右の棚柱３０に取り付けられた棚受金３２に載せられて掛止片３５に掛止され、また、本体枠５１における前縁の左右の隅部が、左右の側壁１２Ｂの棚柱３０に取り付けられた棚受金３２に載せられて掛止片３５に掛止され、これによりハンガーラック４０は前後並びに左右方向に移動不能に位置決めされて装着される。ハンガーラック４０は、３段に亘って極力上下方向の間隔を詰めた状態で装着される。
【００２８】
このとき、図１７に示すように、上下に並んだハンガーラック４０において、下側のハンガーラック４０の支持枠４５における水平枠４６の前端部の上方に、上側のハンガーラック４０の前枠４７の傾斜部４７Ｂとの間において手前側に広がったスペースＳができる。  
また、ハンガーラック４０の支持枠４５における前枠４７（垂下部４７Ａ）と、閉扉された場合の断熱扉１５の裏面との間には、所定（棚柱３０の幅程度）のスペースが確保されるとともに、支持枠４５の後枠４８と奥壁１２Ａとの間にも、前側と同程度のスペースが確保される。
【００２９】
一方、２個のスタンドラック５０のうち上側のスタンドラック５０は、図１６に示すように、奥縁の左右両端部に設けられた被掛止部５３が、奥壁１２Ａの左右の棚柱３０に取り付けられた棚受金３２に載せられて掛止片３５に掛止され、また、一番前の受け枠６２と本体枠５１における左右の側縁とが交差した隅部が、左右の側壁１２Ｂの棚柱３０に取り付けられた棚受金３２に載せられて掛止片３５に掛止され、これにより、上側のスタンドラック５０は前後並びに左右方向に移動不能に位置決めされて装着される。  
このとき、スタンドラック５０の支持枠５５における前枠５７と、閉扉された場合の断熱扉１５の裏面との間には、ハンガーラック４０側と同程度のスペースが確保されるとともに、奥縁の連結枠５９と奥壁１２Ａとの間にも、同程度のスペースが確保される。
【００３０】
下側のスタンドラック５０は、凍結室１２の底面に直接に載せられる。なお、図１に示すように、凍結室１２の底面には、手前側に向けて下り勾配となった凹面１２Ｃが形成されており、スタンドラック５０における本体枠５１の前縁が凹面１２Ｃの前縁の内側に嵌って係止されることで、スタンドラック５０が手前側へ抜けることが規制されるようになっている。
【００３１】
次に、マット状蓄冷剤Ａはハンガーラック４０に、短冊状蓄冷剤Ｂはスタンドラック５０にそれぞれ支持される。  
マット状蓄冷剤Ａは下向きに二つ折りされたのち、図１７の矢線に示すように、その折曲部をハンガーラック４０における対応する支持枠４５の水平枠４６の前端部に掛け、同水平枠４６に沿って押し込むと、規制枠４９に当たったところで押し込みが停止される。これにより二つ折りされたマット状蓄冷剤Ａが、支持枠４５の奥側の領域において吊り下げられた形態で支持される。  
支持枠４５の手前側の領域にマット状蓄冷剤Ａを支持する場合は、同様に下向きに二つ折りしたのち、同折曲部を対応する支持枠４５における水平枠４６に掛け、その後縁側を奥側の領域で支持されているマット状蓄冷剤Ａの前縁側とオーバラップさせつつ、その前縁が支持枠４５の前枠４７（垂下部４７Ａ）と揃う位置まで押し込むことにより、支持枠４５の手前側の領域で吊り下げられた形態で支持される（同図の上段参照）。
【００３２】
ここで、特に上から二段目と三段目のハンガーラック４０では、上下の間隔が狭いと、二つ折りされたマット状蓄冷剤Ａを支持枠４５に掛ける作業がし難いと言えるが、この実施形態では、二段目と三段目のハンガーラック４０におけるマット状蓄冷剤Ａを挿入する部分が、手前側に広がるように口を開けた形態となるから、二つ折りされたマット状蓄冷剤Ａを挿入し、ひいては支持枠４５の水平枠４６に掛ける作業がしやすい。
【００３３】
マット状蓄冷剤Ａが、上記した要領で、各段のハンガーラック４０についてそれぞれ奥側と手前側において吊り下げられた形態で支持された場合、奥側に支持されたマット状蓄冷剤Ａの後縁は、規制枠４９に当たることでそれ以上奥側に押し込まれることが規制され、言い換えると奥側のマット状蓄冷剤Ａの後縁と奥壁１２Ａとの間には、所定間隔の冷気通路６５が確保される。  
一方、手前側に支持されたマット状蓄冷剤Ａは、その前縁を支持枠４５の前枠４７の垂下部４７Ａに揃えた形態で吊り下げ支持されているから、手前側のマット状蓄冷剤Ａの前縁と閉扉された断熱扉１５の裏面との間にも、所定間隔の冷気通路６６が確保されることになる。
【００３４】
短冊状蓄冷剤Ｂをスタンドラック５０に支持する場合は、短冊状蓄冷剤Ｂが断面の長辺側を立てて水平に倒した姿勢とされて、上側のスタンドラック５０における隣り合う支持枠５５の間に挿入され、その後縁が連結枠５９に当たったところで押し込みが停止され、同短冊状蓄冷剤Ｂは、奥側の領域において、後側の２本の受け枠６２並びに後縁枠５４で受けられつつ、隣り合う支持枠５５における凹陥部５８よりも奥側の部分の間に立て掛けられた形態で支持される。  
手前側の領域に支持する場合は、短冊状蓄冷剤Ｂが上記と同じ姿勢において、隣り合う支持枠５５の間に挿入され、その後縁側を奥側の領域で支持されている短冊状蓄冷剤Ｂの前縁側とオーバラップさせつつ、その前縁が支持枠５５の前枠５７と揃う位置まで押し込まれることにより、同短冊状蓄冷剤Ｂは、前側の２本の受け枠６２並びに本体枠５１の前縁で受けられつつ、隣り合う支持枠５５における凹陥部５８よりも手前側の部分の間に立て掛けられた形態で支持される。
【００３５】
下側のスタンドラック５０についても、上記と同様に、短冊状蓄冷剤Ｂが手前側と奥側の領域でそれぞれ立て掛けられた形態で支持される。  
このとき、スタンドラック５０の奥側の領域に支持された短冊状蓄冷剤Ｂの後縁と奥壁１２Ａとの間、並びに手前側の領域に支持された短冊状蓄冷剤Ｂの前縁と、閉扉された断熱扉１５の裏面との間に、上記の冷気通路６５，６６に繋がる冷気通路が確保される。
【００３６】
蓄冷剤Ａ，Ｂの収納が完了したら、断熱扉１５が閉じられたのち冷却運転が開始される。すなわち、冷凍装置１７と庫内ファン２６とが駆動されると、図１の矢線に示すように、吸込口２２から吸い込まれた庫内空気が冷却器２５を通過する間に冷気が生成され、その冷気が吹出口２３から奥壁１２Ａの表面の冷気通路６５に向けて吹き出されたのち、各段のラック４０，５０に支持された蓄冷剤Ａ，Ｂを通って前方に吹き抜け、そののち断熱扉１５の裏面の冷気通路６６に沿って立ち上がるように循環供給され、これにより収納された蓄冷剤Ａ，Ｂが凍結されることになる。  
収納された蓄冷剤群の前面側と後面側に冷気通路６５，６６が確保されているから、冷気が凍結室１２内の全域に亘ってスムーズに循環供給され、全蓄冷剤Ａ，Ｂが均一にかつ高速度で凍結される。  
凍結が完了したら、断熱扉１５を開けたのち、収納時とは逆の手順によって、蓄冷剤Ａ，Ｂを対応するラック４０，５０から引き抜きつつ庫外に取り出せばよい。
【００３７】
本実施形態によれば、マット状蓄冷剤Ａをハンガーラック４０に吊り下げて支持する部分において、ハンガーラック４０の後縁側に設けた規制枠４９により奥側のマット状蓄冷剤Ａのそれ以上の押し込みを規制し、手前側のマット状蓄冷剤Ａについては、その前縁を支持枠４５の前枠４７（垂下部４７Ａ）と揃えて吊り下げ支持することにより、一群となったマット状蓄冷剤Ａの後面側と前面側とに冷気通路６５，６６が確保される。そのため、マット状蓄冷剤Ａの収納領域の全域に亘ってスムーズに冷気を循環供給することができ、全蓄冷剤Ａを均一にかつ高速度で凍結させることができる。
【００３８】
二つ折りしたマット状蓄冷剤Ａを支持枠４５の水平枠４６に掛ける場合、マット状蓄冷剤Ａを手前側に留め勝ちになるが、支持枠４５の前枠４７（垂下部４７Ａ）を目印として、その目印に前縁を合わせるようにして水平枠４６に掛けるといった作業を行うだけで、前面側の冷気通路６６を確実に確保できる。  
また、奥側では、ハンガーラック４０に設けた規制枠４９の奥側に冷気通路が確保されることになるが、奥壁１２Ａに設けられた棚受金３２に掛止するべく被掛止部４３を、規制枠４９よりも奥側に突出させた形態で設けたから、棚柱３０並びに棚受金３２に既設のものを適用しながら、規制枠４９と奥壁１２Ａとの間隔を広く取れ、すなわち奥面側に広い冷気通路６５を確保することができる。  
規制枠４９は補強材としても機能し、ハンガーラック４０の形状保持に寄与することができる。
【００３９】
ハンガーラック４０の支持枠４５における前枠４７は、水平枠４６の前端から垂下されたのち奥側に屈曲された形状に形成されているから、例えば二つ折りされて水平枠４６の手前側に吊り下げられたマット状蓄冷剤Ａでは、前側下部において両側に振り分けられた部分の間に前枠４７の傾斜部４７Ｂが入り込んだ形態となって隙間が確保され、両側に振り分けられた部分の間に冷気が通りやすくなって、蓄冷剤Ａの冷却効果がさらに高められる。  
ハンガーラック４０は、底面の四隅を棚受金３２の掛止片３５に嵌めて掛止することで、前後並びに左右方向の移動不能に位置決めされて装着されているから、マット状蓄冷剤Ａの出し入れに起因して前後方向に位置ずれすることはない。そのため、マット状蓄冷剤Ａを上記のような形態で吊り下げ支持する限り、前後に適正な冷気通路６５，６６を確保することができる。
【００４０】
＜他の実施形態＞
本発明は上記記述及び図面によって説明した実施形態に限定されるものではなく、例えば次のような実施形態も本発明の技術的範囲に含まれる。  
（１）冷気の循環方向としては、上記実施形態とは逆に、断熱扉の裏面に沿うように吹き出されて後方に吹き抜けたのち庫内の奥壁に沿って立ち上るように循環供給されるものであってもよい。  
（２）上記実施形態では、ハンガーラックの支持枠に対して、マット状蓄冷剤が奥側と手前側の二列に亘って吊り下げ支持される場合を例示したが、同マット状蓄冷剤の大きさによって三列以上に並べたり、一列のみとする場合であってもよい。
【００４１】
（３）ハンガーラックに支持されるシート状の蓄冷剤は、短冊状の蓄冷部材を複数個連ねたマット状蓄冷剤に限らず、１枚の大きな蓄冷剤等、要は二つ折りして吊り下げ支持可能な形態のものであればよい。  
（４）上記実施形態では、凍結室内にマット状蓄冷剤と短冊状蓄冷剤の両方を収納した場合を例示したが、マット状蓄冷剤のみを複数段に亘って吊り下げ支持する場合においても、本発明は同様に有用である。  
（５）ハンガーラックにおける支持枠の前枠が、マット状蓄冷剤を吊り下げる場合の前端の位置を指示する目印であることを際立たせるために、前枠と水平枠とが交差する角部にカラーマーキングを施したり、前枠と水平枠とを別物で形成して、同角部において前枠の上端を水平枠より突出させて目印とするようにしてもよい。
【符号の説明】
【００４２】
Ａ…マット状蓄冷剤（シート状の蓄冷剤）  １０…凍結庫  １１…凍結庫本体  １２…凍結室  １２Ａ…奥壁  １２Ｂ…側壁  １４…前面開口部  １５…断熱扉  ２１…冷却器室  ２２…吸込口  ２３…吹出口  ２５…冷却器  ２６…庫内ファン  ３０…棚柱  ３２…棚受金  ３５…掛止片  ４０…ハンガーラック  ４１…本体枠  ４２…三方枠  ４３…被掛止部  ４４…後縁枠  ４５…支持枠  ４６…水平枠  ４７…前枠（目印）  ４７Ａ…垂下部  ４７Ｂ…傾斜部  ４８…後枠  ４９…規制枠  ６５，６６…冷気通路
【図１】
0005722100.tif 000002
【図２】
0005722100.tif 000003
【図３】
0005722100.tif 000004
【図４】
0005722100.tif 000005
【図５】
0005722100.tif 000006
【図６】
0005722100.tif 000007
【図７】
0005722100.tif 000008
【図８】
0005722100.tif 000009
【図９】
0005722100.tif 000010
【図１０】
0005722100.tif 000011
【図１１】
0005722100.tif 000012
【図１２】
0005722100.tif 000013
【図１３】
0005722100.tif 000014
【図１４】
0005722100.tif 000015
【図１５】
0005722100.tif 000016
【図１６】
0005722100.tif 000017
【図１７】
0005722100.tif 000018
【図１８】
0005722100.tif 000019